(57)【要約】【課題】デルタナブラ配置の表示装置において画質低下を抑制する。【解決手段】映像フレームの相対輝度データを表示パネルの相対輝度データに変換する方法が開示されている。映像フレームは、マトリックス状に配置された複数のフレーム単位領域で構成される領域を含む。フレーム単位領域は、６の画素で構成されている。表示パネルの表示領域は、マトリックス状に配置された複数のパネル単位領域で構成される領域を含む。パネル単位領域は、デルタナブラ配置された１２の副画素で構成されている。各画素の相対輝度値は、３色の副画素それぞれの１つ又は２つの副画素に割り当てられる。各副画素の相対輝度値は、対応する２つの隣接画素の相対輝度値から決定される。【選択図】図４
2019133129.tif 000002
【特許請求の範囲】
【請求項１】
映像フレームの相対輝度データを表示パネルの相対輝度データに変換する方法であって、
前記映像フレームは、マトリックス状に配置された複数のフレーム単位領域で構成される領域を含み、
前記複数のフレーム単位領域のそれぞれは、
第１の方向において、第１の画素、第２の画素及び第３の画素の順で配列されている、前記第１の画素、前記第２の画素及び前記第３の画素と、
前記第１の方向に垂直な第２の方向において、前記第１の画素、前記第２の画素及び前記第３の画素にそれぞれ隣接し、前記第１の方向に配列されている、第４の画素、第５の画素及び第６の画素と、
で構成され、
前記表示パネルの表示領域は、マトリックス状に配置された複数のパネル単位領域で構成される領域を含み、
前記複数のパネル単位領域のそれぞれは、
前記第２の方向において、第１の第１色副画素、第１の第２色副画素、及び第１の第３色副画素の順で配列された、前記第１の第１色副画素、前記第１の第２色副画素、及び前記第１の第３色副画素からなる第１の副画素ラインと、
前記第１の副画素ラインに前記の第１方向において隣接し、前記の第２方向に、第２の第３色副画素、第２の第１色副画素、及び第２の第２色副画素の順で配列された、前記第２の第３色副画素、前記第２の第１色副画素、及び前記第２の第２色副画素からなる第２の副画素ラインと、
前記第２の副画素ラインに前記第１の方向において隣接し、前記第２の方向に、第３の第１色副画素、第３の第２色副画素、及び第３の第３色副画素の順で配列された、前記第３の第１色副画素、前記第３の第２色副画素、及び前記第３の第３色副画素で構成された第３の副画素ラインと、
前記第３の副画素ラインに前記第１の方向において隣接し、前記の第２方向に、第４の第３色副画素、第４の第１色副画素、及び第４の第２色副画素の順で配列された、前記第４の第３色副画素、前記第４の第１色副画素、及び前記第４の第２色副画素からなる第４の副画素ラインと、
を含み、
第１のフレーム単位領域と第１のパネル単位領域とが対応付けられ、
前記方法は、前記第１のパネル単位領域において、
前記第１の第１色副画素の相対輝度値を、前記第１のフレーム単位領域の前記第１の画素、及び、前記第１の画素に前記第２の画素と反対側において隣接する第２のフレーム単位領域の前記第３の画素の、第１色相対輝度値から決定し、
前記第１の第２色副画素の相対輝度値を、前記第１のフレーム単位領域の前記第１の画素、及び、前記第２のフレーム単位領域の前記第３の画素の、第２色相対輝度値から決定し、
前記第１の第３色副画素の相対輝度値を、前記第１のフレーム単位領域の前記第４の画素、及び、前記第４の画素に前記第５の画素と反対側において隣接する前記第２のフレーム単位領域の前記第６の画素の、第３色相対輝度値から決定し、
前記第２の第３色副画素の相対輝度値を、前記第１のフレーム単位領域の前記第１の画素及び前記第２の画素の、第３色相対輝度値から決定し、
前記第２の第１色副画素の相対輝度値を、前記第１のフレーム単位領域の前記第４の画素及び前記第５の画素の、第１色相対輝度値から決定し、
前記第２の第２色副画素の相対輝度値を、前記第１のフレーム単位領域の前記第４の画素及び前記第５の画素の、第２色相対輝度値から決定し、
前記第３の第１色副画素の相対輝度値を、前記第１のフレーム単位領域の前記第２の画素及び前記第３の画素の、第１色相対輝度値から決定し、
前記第３の第２色副画素の相対輝度値を、前記第１のフレーム単位領域の前記第２の画素及び前記第３の画素の、第２色相対輝度値から決定し、
前記第３の第３色副画素の相対輝度値を、前記第１のフレーム単位領域の前記第５の画素及び前記第６の画素の、第３色相対輝度値から決定し、
前記第４の第３色副画素の相対輝度値を、前記第１のフレーム単位領域の前記第２の画素及び前記第３の画素の、第３色相対輝度値から決定し、
前記第４の第１色副画素の相対輝度値を、前記第１のフレーム単位領域の前記第５の画素及び前記第６の画素の、第１色相対輝度値から決定し、
前記第４の第２色副画素の相対輝度値を、前記第１のフレーム単位領域の前記第５の画素及び前記第６の画素の、第２色相対輝度値から決定する、
方法。
【請求項２】
請求項１に記載の方法であって、
前記第１の副画素ラインを構成する副画素の重心位置は、前記第２の方向において、前記第３の副画素ラインを構成する副画素の重心位置と一致し、
前記第２の副画素ラインを構成する副画素の重心位置は、前記第２の方向において、前記第４の副画素ラインを構成する副画素の重心位置と一致し、
前記第２の第３色副画素の重心は、前記第２の方向において、前記第１の第１色副画素の重心と前記第１の第２色副画素の重心の間に位置し、
前記第２の第１色副画素の重心は、前記第２の方向において、前記第１の第２色副画素の重心と前記第１の第３色副画素の重心の間に位置し、
前記第１の第３色副画素の重心は、前記第２の方向において、前記第２の第１色副画素の重心と前記第２の第２色副画素の重心の間に位置する、
方法。
【請求項３】
請求項１に記載の方法であって、
前記パネル単位領域の各副画素の相対輝度値は、対応する２つの画素の相対輝度値それぞれの所定の比率を加算した値であり、
前記パネル単位領域の全ての副画素の対応する２つの画素の所定の比率を加算した値は、同一である、
方法。
【請求項４】
請求項１又は３に記載の方法であって、
前記パネル単位領域の各副画素の相対輝度値は、対応する２つの画素の相対輝度値それぞれの所定の比率を加算した値であり、
前記フレーム単位領域の各画素から、対応する前記第１色、前記第２色及び前記第３色の３色の副画素に割り当てられる相対輝度値の比率は、同一である、
方法。
【請求項５】
請求項４に記載の方法であって、
前記フレーム単位領域の各画素の相対輝度値は、前記３色それぞれの１つの副画素又は２つの副画素に割り当てられ、
前記１つの副画素に対して割り当てられる相対輝度値の比率は２／３であり、
前記２つの副画素それぞれに対して割り当てられる相対輝度値の比率は１／３である、
方法。
【請求項６】
請求項１に記載の方法であって、
前記第１の第１色副画素、前記第１の第２色副画素、前記第２の第３色副画素、前記第３の第１色副画素、前記第３の第２色副画素、及び前記第４の第３色副画素は、第１走査線に接続され、
前記第１の第３色副画素、前記第２の第１色副画素、前記第２の第２色副画素、前記第３の第３色副画素、前記第４の第１色副画素、及び前記第４の第２色副画素は、前記第１走査線と異なる第２走査線に接続されている、
方法。
【請求項７】
請求項１に記載の方法であって、
前記表示パネルの相対輝度データは、前記映像フレームの画素及び前記映像フレームの画素の外側に配列されているダミー画素の相対輝度データから変換される、
方法。
【請求項８】
請求項７に記載の方法であって、
前記ダミー画素の相対輝度値は、前記ダミー画素それぞれに最も近い画素の相対輝度値と一致する、
方法。
【請求項９】
第１色、第２色、及び第３色それぞれの複数の副画素を含む表示領域を含む表示パネルと、
前記表示パネルを制御する制御部と、
を含む表示装置であって、
前記制御部は、映像フレームの相対輝度データを前記表示パネルの相対輝度データに変換し、
前記映像フレームは、マトリックス状に配置された複数のフレーム単位領域で構成される領域を含み、
前記複数のフレーム単位領域のそれぞれは、
第１の方向において、第１の画素、第２の画素及び第３の画素の順で配列されている、前記第１の画素、前記第２の画素及び前記第３の画素と、
前記第１の方向において配列されており、前記第１の方向に垂直な第２の方向において、前記第１の画素、前記第２の画素及び前記第３の画素にそれぞれ隣接し、前記第１の方向に配列されている、第４の画素、第５の画素及び第６の画素と、
で構成され、
前記表示パネルの表示領域は、マトリックス状に配置された複数のパネル単位領域で構成される領域を含み、
前記複数のパネル単位領域のそれぞれは、
前記第２の方向において、第１の第１色副画素、第１の第２色副画素、及び第１の第３色副画素の順で配列された、前記第１の第１色副画素、前記第１の第２色副画素、及び前記第１の第３色副画素からなる第１の副画素ラインと、
前記第１の副画素ラインに前記の第１方向において隣接し、前記の第２方向に、第２の第３色副画素、第２の第１色副画素、及び第２の第２色副画素の順で配列された、前記第２の第３色副画素、前記第２の第１色副画素、及び前記第２の第２色副画素からなる第２の副画素ラインと、
前記第２の副画素ラインに前記第１の方向において隣接し、前記第２の方向に、第３の第１色副画素、第３の第２色副画素、及び第３の第３色副画素の順で配列された、前記第３の第１色副画素、前記第３の第２色副画素、及び前記第３の第３色副画素で構成された第３の副画素ラインと、
前記第３の副画素ラインに前記第１の方向において隣接し、前記の第２方向に、第４の第３色副画素、第４の第１色副画素、及び第４の第２色副画素の順で配列された、前記第４の第３色副画素、前記第４の第１色副画素、及び前記第４の第２色副画素からなる第４の副画素ラインと、
を含み、
第１のフレーム単位領域と第１のパネル単位領域とが対応付けられ、
前記制御部は、前記第１のパネル単位領域において、
前記第１の第１色副画素の相対輝度値を、前記第１のフレーム単位領域の前記第１の画素、及び、前記第１の画素に前記第２の画素と反対側において隣接する第２のフレーム単位領域の前記第３の画素の、第１色相対輝度値から決定し、
前記第１の第２色副画素の相対輝度値を、前記第１のフレーム単位領域の前記第１の画素、及び、前記第２のフレーム単位領域の前記第３の画素の、第２色相対輝度値から決定し、
前記第１の第３色副画素の相対輝度値を、前記第１のフレーム単位領域の前記第４の画素、及び、前記第４の画素に前記第５の画素と反対側において隣接する前記第２のフレーム単位領域の前記第６の画素の、第３色相対輝度値から決定し、
前記第２の第３色副画素の相対輝度値を、前記第１のフレーム単位領域の前記第１の画素及び前記第２の画素の、第３色相対輝度値から決定し、
前記第２の第１色副画素の相対輝度値を、前記第１のフレーム単位領域の前記第４の画素及び前記第５の画素の、第１色相対輝度値から決定し、
前記第２の第２色副画素の相対輝度値を、前記第１のフレーム単位領域の前記第４の画素及び前記第５の画素の、第２色相対輝度値から決定し、
前記第３の第１色副画素の相対輝度値を、前記第１のフレーム単位領域の前記第２の画素及び前記第３の画素の、第１色相対輝度値から決定し、
前記第３の第２色副画素の相対輝度値を、前記第１のフレーム単位領域の前記第２の画素及び前記第３の画素の、第２色相対輝度値から決定し、
前記第３の第３色副画素の相対輝度値を、前記第１のフレーム単位領域の前記第５の画素及び前記第６の画素の、第３色相対輝度値から決定し、
前記第４の第３色副画素の相対輝度値を、前記第１のフレーム単位領域の前記第２の画素及び前記第３の画素の、第３色相対輝度値から決定し、
前記第４の第１色副画素の相対輝度値を、前記第１のフレーム単位領域の前記第５の画素及び前記第６の画素の、第１色相対輝度値から決定し、
前記第４の第２色副画素の相対輝度値を、前記第１のフレーム単位領域の前記第５の画素及び前記第６の画素の、第２色相対輝度値から決定する、
表示装置。
【請求項１０】
請求項９に記載の表示装置であって、
前記第１の副画素ラインを構成する副画素の重心位置は、前記第２の方向において、前記第３の副画素ラインを構成する副画素の重心位置と一致し、
前記第２の副画素ラインを構成する副画素の重心位置は、前記第２の方向において、前記第４の副画素ラインを構成する副画素の重心位置と一致し、
前記第２の第３色副画素の重心は、前記第２の方向において、前記第１の第１色副画素の重心と前記第１の第２色副画素の重心の間に位置し、
前記第２の第１色副画素の重心は、前記第２の方向において、前記第１の第２色副画素の重心と前記第１の第３色副画素の重心の間に位置し、
前記第１の第３色副画素の重心は、前記第２の方向において、前記第２の第１色副画素の重心と前記第２の第２色副画素の重心の間に位置する、
表示装置。
【請求項１１】
請求項９に記載の表示装置であって、
前記パネル単位領域の各副画素の相対輝度値は、対応する２つの画素の相対輝度値それぞれの所定の比率を加算した値であり、
前記パネル単位領域の全ての副画素の対応する２つの画素の所定の比率を加算した値は、同一である、
表示装置。
【請求項１２】
請求項９又は１１に記載の表示装置であって、
前記パネル単位領域の各副画素の相対輝度値は、対応する２つの画素の相対輝度値それぞれの所定の比率を加算した値であり、
前記フレーム単位領域の各画素から、対応する前記第１色、前記第２色及び前記第３色の３色の副画素に割り当てられる相対輝度値の比率は、同一である、
表示装置。
【請求項１３】
請求項１２に記載の表示装置であって、
前記フレーム単位領域の各画素の相対輝度値は、前記３色それぞれの１つの副画素又は２つの副画素に割り当てられ、
前記１つの副画素に対して割り当てられる相対輝度値の比率は２／３であり、
前記２つの副画素それぞれに対して割り当てられる相対輝度値の比率は１／３である、
表示装置。
【請求項１４】
請求項９に記載の表示装置であって、
前記第１の第１色副画素、前記第１の第２色副画素、前記第２の第３色副画素、前記第３の第１色副画素、前記第３の第２色副画素、及び前記第４の第３色副画素は、第１走査線に接続され、
前記第１の第３色副画素、前記第２の第１色副画素、前記第２の第２色副画素、前記第３の第３色副画素、前記第４の第１色副画素、及び前記第４の第２色副画素は、前記第１走査線と異なる第２走査線に接続されている、
表示装置。
【請求項１５】
請求項９に記載の表示装置であって、
前記表示パネルの相対輝度データは、前記映像フレームの画素及び前記映像フレームの画素の外側に配列されているダミー画素の相対輝度データから変換される、
表示装置。
【請求項１６】
請求項１５に記載の表示装置であって、
前記ダミー画素の相対輝度値は、前記ダミー画素それぞれに最も近い画素の相対輝度値と一致する、
表示装置。
【発明の詳細な説明】
【技術分野】
【０００１】
本開示は、表示装置及び映像フレームの相対輝度データを表示パネルの相対輝度データに変換する方法に関する。
【背景技術】
【０００２】
カラー表示装置の表示領域は、一般に、表示パネルの基板上に配列された赤（Ｒ）、緑（Ｇ）、青（Ｂ）の副画素で構成されている。副画素の様々な配置（画素配置）が提案されおり、例えば、ＲＧＢ  Ｓｔｒｉｐｅ配置や、デルタナブラ配置（単にデルタ配置とも呼ぶ）が知られている（例えば特許文献１）。
【０００３】
ＲＧＢ  Ｓｔｒｉｐｅ配置において、映像フレーム（データ）の画素の境界は、表示パネルの副画素の境界に一致し、Ｒ副画素、Ｇ副画素、及びＢ副画素は、それぞれ、映像フレームの一つの画素に対応付けることができる。しかし、デルタナブラ配置において、映像フレームの画素の境界は、表示パネルの副画素の境界に一致しない。この不対応により、特にレンダリングにより仮想的に解像度を上げるデルタナブラ配置の表示装置において、画質の低下が問題となり得る。
【先行技術文献】
【特許文献】
【０００４】
【特許文献１】特開２００３−２７１０８８号公報
【発明の概要】
【発明が解決しようとする課題】
【０００５】
したがって、デルタナブラ配置の表示装置において画質低下を抑制できる技術が望まれる。
【課題を解決するための手段】
【０００６】
本開示の一態様は、映像フレームの相対輝度データを表示パネルの相対輝度データに変換する方法であって、前記映像フレームは、マトリックス状に配置された複数のフレーム単位領域で構成される領域を含み、前記複数のフレーム単位領域のそれぞれは、第１の方向において、第１の画素、第２の画素及び第３の画素の順で配列されている、前記第１の画素、前記第２の画素及び前記第３の画素と、前記第１の方向において配列されており、前記第１の方向に垂直な第２の方向において、前記第１の画素、前記第２の画素及び前記第３の画素にそれぞれ隣接し、前記第１の方向に配列されている、第４の画素、第５の画素及び第６の画素と、で構成され、前記表示パネルの表示領域は、マトリックス状に配置された複数のパネル単位領域で構成される領域を含み、前記複数のパネル単位領域のそれぞれは、前記第２の方向において、第１の第１色副画素、第１の第２色副画素、及び第１の第３色副画素の順で配列された、前記第１の第１色副画素、前記第１の第２色副画素、及び前記第１の第３色副画素からなる第１の副画素ラインと、前記第１の副画素ラインに前記の第１方向において隣接し、前記の第２方向に、第２の第３色副画素、第２の第１色副画素、及び第２の第２色副画素の順で配列された、前記第２の第３色副画素、前記第２の第１色副画素、及び前記第２の第２色副画素からなる第２の副画素ラインと、前記第２の副画素ラインに前記第１の方向において隣接し、前記第２の方向に、第３の第１色副画素、第３の第２色副画素、及び第３の第３色副画素の順で配列された、前記第３の第１色副画素、前記第３の第２色副画素、及び前記第３の第３色副画素で構成された第３の副画素ラインと、前記第３の副画素ラインに前記第１の方向において隣接し、第４の第３色副画素、第４の第１色副画素、及び第４の第２色副画素の順で配列された、前記第４の第３色副画素、前記第４の第１色副画素、及び前記第４の第２色副画素からなる第４の副画素ラインと、を含み、第１のフレーム単位領域と第１のパネル単位領域とが対応付けられ、前記方法は、前記第１のパネル単位領域において、前記第１の第１色副画素の相対輝度値を、前記第１のフレーム単位領域の前記第１の画素、及び、前記第１の画素に前記第２の画素と反対側において隣接する第２のフレーム単位領域の前記第３の画素の、第１色相対輝度値から決定し、前記第１の第２色副画素の相対輝度値を、前記第１のフレーム単位領域の前記第１の画素、及び、前記第２のフレーム単位領域の前記第３の画素の、第２色相対輝度値から決定し、前記第１の第３色副画素の相対輝度値を、前記第１のフレーム単位領域の前記第４の画素、及び、前記第４の画素に前記第５の画素と反対側において隣接する前記第２のフレーム単位領域の前記第６の画素の、第３色相対輝度値から決定し、前記第２の第３色副画素の相対輝度値を、前記第１のフレーム単位領域の前記第１の画素及び前記第２の画素の、第３色相対輝度値から決定し、前記第２の第１色副画素の相対輝度値を、前記第１のフレーム単位領域の前記第４の画素及び前記第５の画素の、第１色相対輝度値から決定し、前記第２の第２色副画素の相対輝度値を、前記第１のフレーム単位領域の前記第４の画素及び前記第５の画素の、第２色相対輝度値から決定し、前記第３の第１色副画素の相対輝度値を、前記第１のフレーム単位領域の前記第２の画素及び前記第３の画素の、第１色相対輝度値から決定し、前記第３の第２色副画素の相対輝度値を、前記第１のフレーム単位領域の前記第２の画素及び前記第３の画素の、第２色相対輝度値から決定し、前記第３の第３色副画素の相対輝度値を、前記第１のフレーム単位領域の前記第５の画素及び前記第６の画素の、第３色相対輝度値から決定し、前記第４の第３色副画素の相対輝度値を、前記第１のフレーム単位領域の前記第２の画素及び前記第３の画素の、第３色相対輝度値から決定し、前記第４の第１色副画素の相対輝度値を、前記第１のフレーム単位領域の前記第５の画素及び前記第６の画素の、第１色相対輝度値から決定し、前記第４の第２色副画素の相対輝度値を、前記第１のフレーム単位領域の前記第５の画素及び前記第６の画素の、第２色相対輝度値から決定する。
【発明の効果】
【０００７】
本開示の一態様によれば、デルタナブラ配置の表示装置において画質低下を抑制することができる。
【図面の簡単な説明】
【０００８】
【図１】実施形態１において、ＯＬＥＤ表示装置の構成例を模式的に示す。
【図２】実施形態１において、ＯＬＥＤ表示装置の断面構造の一部を模式的に示す。
【図３】実施形態１において、ドライバＩＣの論理要素を示す。
【図４】実施形態１において、映像フレーム及びデルタナブラパネルにおける単位領域の関係を示す。
【図５Ａ】実施形態１において、フレーム単位領域と、フレーム単位領域の相対輝度値が割り当てられるパネル副画素とを示す。
【図５Ｂ】実施形態１において、フレーム画素と、その相対輝度値が割り当てられる副画素とを示す。
【図５Ｃ】実施形態１において、フレーム画素と、その相対輝度値が割り当てられる副画素とを示す。
【図５Ｄ】実施形態１において、フレーム画素と、その相対輝度値が割り当てられる副画素とを示す。
【図５Ｅ】実施形態１において、フレーム画素と、その相対輝度値が割り当てられる副画素とを示す。
【図５Ｆ】実施形態１において、フレーム画素と、その相対輝度値が割り当てられる副画素とを示す。
【図５Ｇ】実施形態１において、フレーム画素と、その相対輝度値が割り当てられる副画素とを示す。
【図６Ａ】実施形態１において、パネル単位領域と、当該パネル単位領域に対して相対輝度値が割り当てられるフレーム画素とを示す。
【図６Ｂ】実施形態１において、副画素と、それらに対して相対輝度値が割り当てられるフレーム画素とを示す。
【図６Ｃ】実施形態１において、副画素と、それに対して相対輝度値が割り当てられるフレーム画素とを示す。
【図６Ｄ】実施形態１において、副画素と、それらに対して相対輝度値が割り当てられるフレーム画素とを示す。
【図６Ｅ】実施形態１において、副画素と、それに対して相対輝度値が割り当てられるフレーム画素とを示す。
【図６Ｆ】実施形態１において、副画素と、それに対して相対輝度値が割り当てられるフレーム画素とを示す。
【図６Ｇ】実施形態１において、副画素と、それらに対して相対輝度値が割り当てられるフレーム画素とを示す。
【図６Ｈ】実施形態１において、副画素と、それに対して相対輝度値が割り当てられるフレーム画素とを示す。
【図６Ｉ】実施形態１において、副画素と、それらに対して相対輝度値が割り当てられるフレーム画素とを示す。
【図７】実施形態１において、パネル単位領域における、副画素（アノード電極）と配線との接続関係を模式的に示す。
【図８】実施形態２において、映像フレーム及びデルタナブラパネルにおける単位領域の関係を示す。
【図９Ａ】実施形態２において、フレーム単位領域と、フレーム単位領域の相対輝度値が割り当てられるパネル副画素とを示す。
【図９Ｂ】実施形態２において、フレーム画素と、その相対輝度値が割り当てられる副画素とを示す。
【図９Ｃ】実施形態２において、フレーム画素と、その相対輝度値が割り当てられる副画素とを示す。
【図９Ｄ】実施形態２において、フレーム画素と、その相対輝度値が割り当てられる副画素とを示す。
【図９Ｅ】実施形態２において、フレーム画素と、その相対輝度値が割り当てられる副画素とを示す。
【図９Ｆ】実施形態２において、フレーム画素と、その相対輝度値が割り当てられる副画素とを示す。
【図９Ｇ】実施形態２において、フレーム画素と、その相対輝度値が割り当てられる副画素とを示す。
【図１０Ａ】実施形態２において、パネル単位領域と、当該パネル単位領域に対して相対輝度値が割り当てられるフレーム画素とを示す。
【図１０Ｂ】実施形態２において、副画素と、それらに対して相対輝度値が割り当てられるフレーム画素とを示す。
【図１０Ｃ】実施形態２において、副画素と、それに対して相対輝度値が割り当てられるフレーム画素とを示す。
【図１０Ｄ】実施形態２において、副画素と、それらに対して相対輝度値が割り当てられるフレーム画素とを示す。
【図１０Ｅ】実施形態２において、副画素と、それに対して相対輝度値が割り当てられるフレーム画素とを示す。
【図１０Ｆ】実施形態２において、副画素と、それに対して相対輝度値が割り当てられるフレーム画素とを示す。
【図１０Ｇ】実施形態２において、副画素と、それらに対して相対輝度値が割り当てられるフレーム画素とを示す。
【図１０Ｈ】実施形態２において、副画素と、それに対して相対輝度値が割り当てられるフレーム画素とを示す。
【図１０Ｉ】実施形態２において、副画素と、それらに対して相対輝度値が割り当てられるフレーム画素とを示す。
【図１１】実施形態３において、映像フレーム（入力データ）及び、映像フレーム周囲に配置されたダミーデータを示す。
【発明を実施するための形態】
【０００９】
以下、添付図面を参照して本発明の実施形態を説明する。本実施形態は本発明を実現するための一例に過ぎず、本発明の技術的範囲を限定するものではないことに注意すべきである。各図において共通の構成については同一の参照符号が付されている。
【００１０】
＜実施形態１＞
［表示装置の構成］
図１及び図２を参照して、本実施形態に係る、表示装置の全体構成を説明する。なお、説明をわかりやすくするため、図示した物の寸法、形状については、誇張して記載している場合もある。以下において、表示装置の例として、ＯＬＥＤ（Ｏｒｇａｎｉｃ  Ｌｉｇｈｔ−Ｅｍｉｔｔｉｎｇ  Ｄｉｏｄｅ）表示装置を説明するが、本開示の特徴は、液晶表示装置や量子ドット表示装置等、ＯＬＥＤ表示装置と異なる任意の種類の表示装置に適用することができる。
【００１１】
図１は、ＯＬＥＤ表示装置１０の構成例を模式的に示す。ＯＬＥＤ表示装置１０は、ＯＬＥＤ表示パネルと制御装置とを含む。ＯＬＥＤ表示パネルは、ＯＬＥＤ素子が形成されるＴＦＴ（Ｔｈｉｎ  Ｆｉｌｍ  Ｔｒａｎｓｉｓｔｏｒ）基板１００と、ＯＬＥＤ素子を封止する封止基板２００と、ＴＦＴ基板１００と封止基板２００とを接合する接合部（ガラスフリットシール部）３００を含む。ＴＦＴ基板１００と封止基板２００との間には、例えば、乾燥空気が封入されており、接合部３００により封止されている。
【００１２】
ＴＦＴ基板１００の表示領域１２５の外側のカソード電極形成領域１１４の周囲に、走査ドライバ１３１、エミッションドライバ１３２、保護回路１３３、及びドライバＩＣ１３４が配置されている。これらは、ＦＰＣ（Ｆｌｅｘｉｂｌｅ  Ｐｒｉｎｔｅｄ  Ｃｉｒｃｕｉｔ）１３５を介して外部の機器と接続される。ドライバＩＣ１３４は制御装置に含まれる。走査ドライバ１３１、エミッションドライバ１３２、及び保護回路１３３は、制御装置、又は、ＯＬＥＤ表示パネル及び制御装置に含まれる。
【００１３】
走査ドライバ１３１はＴＦＴ基板１００の走査線を駆動する。エミッションドライバ１３２は、エミッション制御線を駆動して、各副画素の発光期間を制御する。保護回路１３３は素子を静電気放電から保護する。ドライバＩＣ１３４は、例えば、異方性導電フィルム（ＡＣＦ：Ａｎｉｓｏｔｒｏｐｉｃ  Ｃｏｎｄｕｃｔｉｖｅ  Ｆｉｌｍ）を用いて実装される。
【００１４】
ドライバＩＣ１３４は、走査ドライバ１３１及びエミッションドライバ１３２に電源及びタイミング信号（制御信号）を与え、さらに、データ線に映像データに対応する信号を与える。すなわち、ドライバＩＣ１３４は、表示制御機能を有する。後述するように、ドライバＩＣ１３４は、映像フレームの画素の相対輝度データを表示パネルの副画素の相対輝度データに変換する機能を有する。
【００１５】
図１において、左から右に延びる軸をＸ軸、上から下に延びる軸をＹ軸と呼ぶ。走査線はＸ軸に沿って延びており、表示領域１２５において、Ｘ軸に沿って配列された画素又は副画素を画素の行又は副画素の行と呼ぶ。表示領域１２５において、Ｙ軸に沿って配列された画素又は副画素を画素の列又は副画素の列と呼ぶ。
【００１６】
次に、ＯＬＥＤ表示装置１０の詳細構造について説明する。図２は、ＯＬＥＤ表示装置１０の断面構造の一部を模式的に示す。図２に示すように、ＯＬＥＤ表示装置１０は、ＴＦＴ基板１００と、ＴＦＴ基板１００と対向する封止構造部とを含む。ここで、封止構造部の一例は、可撓性又は不撓性の封止基板２００である。封止構造部は、例えば、薄膜封止（ＴＦＥ：Ｔｈｉｎ  Ｆｉｌｍ  Ｅｎｃａｐｓｕｌａｔｉｏｎ）構造であってもよい。
【００１７】
ＴＦＴ基板１００は、絶縁基板１５１と封止構造部との間に配置された、複数の下部電極（例えば、アノード電極１６２）と、１つの上部電極（例えば、カソード電極１６６）と、複数の有機発光層１６５とを含む。カソード電極１６６は、有機発光層１６５（有機発光膜１６５とも記す）からの光を封止構造部に向けて透過させる透明電極である。
【００１８】
１つのカソード電極１６６と１つのアノード電極１６２との間に、１つの有機発光層１６５が配置されている。複数のアノード電極１６２は、同一面上（例えば、平坦化膜１６１の上）に配置され、１つのアノード電極１６２の上に１つの有機発光層１６５が配置されている。
【００１９】
ＯＬＥＤ表示装置１０は、封止構造部に向かって立ち上がる複数のスペーサ１６４と、それぞれが複数のスイッチを含む複数の回路とを有する。複数の回路の各々は、絶縁基板１５１とアノード電極１６２との間に形成され、複数のアノード電極１６２の各々に供給する電流を制御する。
【００２０】
図２は、トップエミッション型の画素構造の例を示す。トップエミッション型の画素構造は、光が出射する側（図面上側）に、複数の画素に共通のカソード電極１６６が配置される。カソード電極１６６は、表示領域１２５の全面を完全に覆う形状を有する。本開示の特徴は、ボトムエミッション型の画素構造を有するＯＬＥＤ表示装置にも適用できる。ボトムエミッション型の画素構造は、透明アノード電極と反射カソード電極を有し、ＴＦＴ基板１００を介して外部に光を出射する。
【００２１】
以下、ＯＬＥＤ表示装置１０についてより詳しく説明する。ＴＦＴ基板１００は、表示領域１２５内に配列された副画素、及び、表示領域１２５の周囲の配線領域に形成された配線を含む。配線は、画素回路と、配線領域に配置された回路１３１、１３２、１３４とを接続する。
【００２２】
本実施形態の表示領域１２５は、デルタナブラ配置された副画素で構成されている。デルタナブラ配置の詳細は後述する。以下において、ＯＬＥＤ表示パネルを、デルタナブラパネルと呼ぶことがある。副画素は、赤（Ｒ）、緑（Ｇ）、又は青（Ｂ）のいずれかの色を表示する発光領域である。以下に説明する例は、上記三色の組により画像を表示するが、ＯＬＥＤ表示装置１０は、これと異なる三色の組により表示してもよい。
【００２３】
発光領域は、ＯＬＥＤ素子に含まれる。ＯＬＥＤ素子は、下部電極であるアノード電極、有機発光層、及び上部電極であるカソード電極を含んで構成される。すなわち、複数のＯＬＥＤ素子は、１つのカソード電極１６６と、複数のアノード電極１６２と、複数の有機発光層１６５により形成されている。
【００２４】
絶縁基板１５１は、例えばガラス又は樹脂で形成されており、不撓性又は可撓性基板である。なお、以下の説明において、絶縁基板１５１に近い側を下側、遠い側を上側と記す。ゲート絶縁膜１５６を介して、ゲート電極１５７が形成されている。ゲート電極１５７の層上に層間絶縁膜１５８が形成されている。
【００２５】
表示領域１２５内において、層間絶縁膜１５８上にソース電極１５９、ドレイン電極１６０が形成されている。ソース電極１５９、ドレイン電極１６０は、例えば、高融点金属又はその合金で形成される。ソース電極１５９、ドレイン電極１６０は、層間絶縁膜１５８のコンタクトホールに形成されたコンタクト部１６８、１６９によって、絶縁層１５２上のチャネル部１５５に接続されている。
【００２６】
ソース電極１５９、ドレイン電極１６０の上に、絶縁性の平坦化膜１６１が形成される。絶縁性の平坦化膜１６１の上に、アノード電極１６２が形成されている。アノード電極１６２は、平坦化膜１６１のコンタクトホールに形成されたコンタクト部によってドレイン電極１６０に接続されている。画素回路（ＴＦＴｓ）は、アノード電極１６２の下側に形成されている。
【００２７】
アノード電極１６２の上に、ＯＬＥＤ素子を分離する絶縁性の画素定義層（Ｐｉｘｅｌ  Ｄｅｆｉｎｉｎｇ  Ｌａｙｅｒ：ＰＤＬ）１６３が形成されている。ＯＬＥＤ素子は、積層された、アノード電極１６２、有機発光層１６５、及びカソード電極１６６（の部分）で構成される。ＯＬＥＤ素子の発光領域は、画素定義層１６３の開口１６７に形成されている。
【００２８】
絶縁性のスペーサ１６４は、２つのアノード電極１６２の間における、画素定義層１６３の面上に形成されている。スペーサ１６４の頂面は画素定義層１６３の上面よりも高い（封止基板２００に近い）位置にあり、封止基板２００が変形した場合に、封止基板２００を支持して、ＯＬＥＤ素子と封止基板２００との間隔を維持する。
【００２９】
アノード電極１６２の上に、有機発光層１６５が形成されている。有機発光層１６５は、画素定義層１６３の開口１６７及びその周囲において、画素定義層１６３に付着している。有機発光層１６５の上にカソード電極１６６が形成されている。カソード電極１６６は、透明電極である。カソード電極１６６は、有機発光層１６５からの可視光の全て又は一部を透過させる。
【００３０】
画素定義層１６３の開口１６７に形成された、アノード電極１６２、有機発光層１６５及びカソード電極１６６の積層膜が、ＯＬＥＤ素子を構成する。電流は画素定義層１６３の開口１６７のみに流れるので、開口１６７において露出している有機発光層１６５の領域が、ＯＬＥＤ素子の発光領域（副画素）である。カソード電極１６６は、分離して形成されているアノード電極１６２及び有機発光層１６５（ＯＬＥＤ素子）に共通である。なお、カソード電極１６６の上には、不図示のキャップ層が形成されてもよい。
【００３１】
封止基板２００は、透明な絶縁基板であって、例えばガラス基板である。封止基板２００の光出射面（前面）に、λ／４位相差板２０１と偏光板２０２とが配置され、外部から入射した光の反射を抑制する。
【００３２】
［ドライバＩＣの構成］
図３は、ドライバＩＣ１３４の論理要素を示す。ドライバＩＣ１３４は、ガンマ変換部３４１、相対輝度変換部３４２、逆ガンマ変換部３４３、駆動信号生成部３４４、及びデータドライバ３４５を含む。
【００３３】
ドライバＩＣ１３４は、不図示の主制御部から、映像信号及び映像信号用タイミング信号を受信する。映像信号は、連続する映像フレームのデータ（信号）を含む。ガンマ変換部３４１は、入力された映像信号に含まれるＲＧＢ階調値（信号）を、ＲＧＢ相対輝度値に変換する。より具体的には、ガンマ変換部３４１は、各映像フレームの各画素のＲ階調値、Ｇ階調値、Ｂ階調値を、Ｒ相対輝度値、Ｇ相対輝度値、Ｂ相対輝度値（ＬＲｉｎ、ＬＧｉｎ、ＬＢｉｎ）に変換する。画素の相対輝度値は、映像フレーム内で正規化された輝度値である。
【００３４】
相対輝度変換部３４２は、映像フレーム内の各画素のＲ、Ｇ、Ｂ相対輝度値（ＬＲｉｎ、ＬＧｉｎ、ＬＢｉｎ）を、ＯＬＥＤ表示パネルの副画素のＲ、Ｇ、Ｂ相対輝度値（ＬＲｐ、ＬＧｐ、ＬＢｐ）に変換する。相対輝度変換部３４２による演算処理の詳細は後述する。副画素の相対輝度値は、ＯＬＥＤ表示パネルにおいて正規化された副画素の輝度値である。
【００３５】
逆ガンマ変換部３４３は、相対輝度変換部３４２による演算後のＲ副画素、Ｇ副画素、Ｂ副画素の相対輝度値を、Ｒ副画素、Ｇ副画素、Ｂ副画素の階調値に変換する。データドライバ３４５は、Ｒ副画素、Ｇ副画素、Ｂ副画素の階調値に応じた駆動信号を、画素回路に送信する。
【００３６】
駆動信号生成部３４４は、入力された映像信号用タイミング信号を、ＯＬＥＤ表示パネルの表示制御用駆動信号に変換する。映像信号用タイミング信号は、データ転送レートを決定するドットクロック（ピクセルクロック）、水平同期信号、垂直同期信号、データイネーブル信号を含む。
【００３７】
駆動信号生成部３４４は、入力された映像信号用タイミング信号のドットクロックを、デルタナブラパネル（ＯＬＥＤ表示パネル）の画素数に合わせ、２／３倍の周波数に変換する。後述するように、本実施形態のデルタナブラパネルにおける走査線に沿った方向（行方向とも呼ぶ）の画素数は、映像フレームにおける走査線に沿った方向の画素数の２／３である。本実施形態は、レンダリングによって、ＯＬＥＤ表示パネルの解像度を仮想的に向上する。
【００３８】
駆動信号生成部３４４は、さらに、データイネーブル信号、垂直同期信号、水平同期信号から、デルタナブラパネルのソースドライバ３５５、走査ドライバ１３１、及びエミッションドライバ１３２の制御信号（又は、パネルの駆動信号）を生成し、それらに出力する。
【００３９】
［映像フレーム及びデルタナブラパネルにおける画素配置］
図４は、映像フレーム及びデルタナブラパネルにおける単位領域の関係を示す。映像フレームの表示画像は、行方向（Ｘ軸に沿った方向）及び列方向（Ｙ軸に沿った方向）に繰り返すフレーム単位領域４１で構成されている。表示画像は、マトリックス状に配置されたフレーム単位領域４１で構成されている。表示画像の一部のみが、フレーム単位領域４１で構成されていてもよい。
【００４０】
フレーム単位領域４１は、２行３列の６つのフレーム画素（単に画素とも呼ぶ）Ｐ１１〜Ｐ２３で構成されている。画素Ｐ１１〜Ｐ２３の形状は同一である。本例において画素Ｐ１１〜Ｐ２３は正方形であるが、これに限定されない。画素Ｐ１１〜Ｐ２３はマトリックス状に配置されている。画素Ｐ１１、Ｐ１２、及びＰ１３は、この順で、行方向に連続して配列されており、行方向に延びる画素行（画素ライン）を構成する。画素Ｐ１２は、画素Ｐ１１及びＰ１３に隣接している。これらの重心は、行方向に延びる仮想直線上にあり、間隔は一定である。画素Ｐ１１、Ｐ１２、及びＰ１３は、映像フレームにおける２ｍ（ｍは１／２又は１／２に正の整数を加算した値）番の画素行に含まれる。
【００４１】
画素Ｐ２１、Ｐ２２、及びＰ２３は、この順で、行方向に連続して配列されており、行方向に延びる画素行（画素ライン）を構成する。画素Ｐ２２は、画素Ｐ２１及びＰ２３に隣接している。これらの重心は、行方向に延びる仮想直線上にあり、間隔は一定である。画素Ｐ２１、Ｐ２２、及びＰ２３は、映像フレームにおける２ｍ＋１番の画素行に含まれる。
【００４２】
互いに隣接する画素Ｐ１１及びＰ２１は、列方向に連続して配列されており、列方向に延びる画素列（画素ライン）を構成する。これらの重心は、列方向に延びる仮想直線上にあり、間隔は特定値である。画素Ｐ１１及びＰ２１は、映像フレームにおける３ｎ番（ｎは１／３又は１／３に正の整数を加算した値）の画素列に含まれる。
【００４３】
互いに隣接する画素Ｐ１２及びＰ２２は、列方向に連続して配列されており、列方向に延びる画素列（画素ライン）を構成する。これらの重心は、列方向に延びる仮想直線上にあり、間隔は特定値である。画素Ｐ１２及びＰ２２は、映像フレームにおける３ｎ＋１番の画素列に含まれる。
【００４４】
互いに隣接する画素Ｐ１３及びＰ２３は、列方向に連続して配列されており、列方向に延びる画素列（画素ライン）を構成する。これらの重心は、列方向に延びる仮想直線上にあり、間隔は特定値である。画素Ｐ１３及びＰ２３は、映像フレームにおける３ｎ＋２番の画素列に含まれる。
【００４５】
デルタナブラパネルの表示領域１２５は、行方向（Ｘ軸に沿った方向）及び列方向（Ｙ軸に沿った方向）に繰り返すパネル単位領域４５で構成されている。表示領域１２５は、マトリックス状に配置されたパネル単位領域４５で構成されている。表示領域１２５の一部のみが、パネル単位領域４５で構成されていてもよい。図４は、互いに対応するフレーム単位領域４１及びパネル単位領域４５を示す。
【００４６】
パネル単位領域４５は、１２のパネル副画素（単に副画素とも呼ぶ）Ｒ１〜Ｒ４、Ｇ１〜Ｇ４、Ｂ１〜Ｂ４で構成されている。副画素の符号におけるＲ、Ｇ、Ｂは、それぞれ、赤、緑、青を意味する。副画素の形状は同一である。本例において副画素は行方向に長い長方形であるが、これに限定されない。たとえば、各副画素は、六角形又は八角形でもよく、異なる色の副画素が異なる形状を有してもよい。
【００４７】
隣接するＲ副画素、Ｇ副画素及びＢ副画素からなるパネル画素を定義すると、パネル単位領域４５は２行２列のパネル画素で構成されている。図４において、２つのパネル画素を、例として、三角形（デルタ）及び逆三角形（ナブラ）で示す。デルタナブラ配置はデルタ形状のパネル画素とナブラ形状のパネル画素とを交互に配列する構成を有する。
【００４８】
副画素Ｒ１、Ｂ１、Ｇ３は、この順において、列方向に連続して配列されており、列方向に延びる副画素列（副画素ライン）を構成する。副画素Ｂ１は、副画素Ｒ１及びＧ３に隣接している。これらの重心は、列方向に延びる仮想直線上にあり、間隔は一定である。副画素Ｇ１、Ｒ３、Ｂ３は、この順において、列方向に連続して配列されており、列方向に延びる副画素列（副画素ライン）を構成する。副画素Ｒ３は、副画素Ｇ１及びＢ３に隣接している。これらの重心は、列方向に延びる仮想直線上にあり、間隔は一定である。
【００４９】
副画素Ｒ２、Ｂ２、Ｇ４は、この順において、列方向に連続して配列されており、列方向に延びる副画素列（副画素ライン）を構成する。副画素Ｂ２は、副画素Ｒ２及びＧ４に隣接している。これらの重心は、列方向に延びる仮想直線上にあり、間隔は一定である。副画素Ｇ２、Ｒ４、Ｂ４は、この順において、列方向に連続して配列されており、列方向に延びる副画素列（副画素ライン）を構成する。副画素Ｒ４は、副画素Ｇ２及びＢ４に隣接している。これらの重心は、列方向に延びる仮想直線上にあり、間隔は一定である。
【００５０】
図４の例において、副画素列の色順序は同一であり、Ｒ副画素、Ｂ副画素、Ｇ副画素の順で、副画素が循環的に配列されている。各副画素列の各副画素は、行方向において、隣接する副画素列の異なる色の副画素に隣接している。例えば、Ｒ画素は、隣接する副画素列それぞれのＧ画素及びＢ画素に隣接している。
【００５１】
図４の例において、パネル単位領域４５を構成する副画素Ｒ１〜Ｒ４、Ｇ１〜Ｇ４、Ｂ１〜Ｂ４のレイアウトは、千鳥配置である。各副画素の重心は、列方向において、隣接副画素列それぞれの、２つの副画素の重心の間に位置し、図４の例において中央に位置する。
【００５２】
奇数番副画素列の、列方向における副画素の位置及び色は同一である。同様に、偶数番副画素列の、列方向における副画素の位置及び色は同一である。図４の例において、各副画素列において、副画素は、一定ピッチＰｙで配列されている。副画素列は、隣接する副画素列にたいして、３／２Ｐｙずれている。
【００５３】
図４に示すパネル単位領域４５を構成する副画素のレイアウトは、一例である。例えば、パネル単位領域４５を構成する副画素のレイアウトは千鳥配置でなくてもよく、例えば、マトリックス配置であってもよい。たとえば、パネル単位領域４５の副画素列は３つの色の副画素で構成され、副画素行は交互に配列された２つの色の副画素で構成されてもよい。副画素列の副画素の重心は仮想直線状に存在せず、重心を結んだ線が折れ線であってもよい。また、副画素列における副画素の重心間の間隔は一定でなくてもよい。
【００５４】
図５Ａは、フレーム単位領域４１と、フレーム単位領域４１の相対輝度値が割り当てられるパネル副画素とを示す。フレーム単位領域４１の相対輝度値は、対応するパネル単位領域４５及びそれに行方向において隣接する複数の副画素Ｒ５、Ｒ６、Ｇ５、Ｇ６、Ｂ５、Ｂ６に対して割り当てられる。１つのフレーム画素のＲ相対輝度値、Ｇ相対輝度値、及びＢ相対輝度値は、それぞれ、１又は２つのＲ副画素、Ｇ副画素、及びＢ副画素に割り当てられる。
【００５５】
相対輝度値の割り当てにおいて、フレーム単位領域４１の１つの画素行と、パネル単位領域４５の１つの副画素行が対応付けられる。フレーム画素Ｐ１１、Ｐ１２、Ｐ１３からなる画素行に対応する副画素行は、パネル単位領域４５における奇数番副画素列の２つの副画素と偶数番副画素列の１つの副画素で構成されている。具体的には、当該副画素行は、副画素Ｒ１、Ｂ１、Ｇ１、Ｒ２、Ｂ２、及びＧ２で構成されている。
【００５６】
フレーム画素Ｐ２１、Ｐ２２、Ｐ２３からなる画素行に対応する副画素行は、パネル単位領域４５における奇数番副画素列の１つの副画素と偶数番副画素列の２つの副画素で構成されている。具体的には、当該副画素行は、副画素Ｇ３、Ｒ３、Ｂ３、Ｇ４、Ｒ４、及びＢ４で構成されている。
【００５７】
図５Ａに示すように、フレーム単位領域４１の一つの画素行の相対輝度値は、パネル単位領域４５の一つの副画素行及びそれに行方向において隣接する副画素に割り当てられる。以下において、フレーム単位領域４１の画素と、画素の相対輝度値を割り当てる副画素との関係を説明する。
【００５８】
図５Ｂは、フレーム画素Ｐ１１と、その相対輝度値が割り当てられる副画素とを示す。フレーム画素Ｐ１１の相対輝度値は、副画素Ｇ５、Ｒ１、Ｂ１、及びＧ１に割り当てられる。副画素Ｇ５は、パネル単位領域４５に行方向において隣接するパネル単位領域の副画素であって、副画素Ｒ１、Ｂ１に隣接している。
【００５９】
各副画素内の数字（１／３又は２／３）は、画素の相対輝度値に対する副画素に割り当てられる相対輝度値の比率を示す。フレーム画素Ｐ１１の赤の相対輝度値の２／３が、副画素Ｒ１に割り当てられる。フレーム画素Ｐ１１の青の相対輝度値の２／３が、副画素Ｂ１に割り当てられる。フレーム画素Ｐ１１の緑の相対輝度値の１／３が、副画素Ｇ５及び副画素Ｇ１それぞれに割り当てられる。
【００６０】
図５Ｃは、フレーム画素Ｐ１２と、その相対輝度値が割り当てられる副画素とを示す。フレーム画素Ｐ１２の相対輝度値は、副画素Ｇ１、Ｒ２、及びＢ２に割り当てられる。フレーム画素Ｐ１２の赤の相対輝度値の２／３が、副画素Ｒ２に割り当てられる。フレーム画素Ｐ１２の青の相対輝度値の２／３が、副画素Ｂ２に割り当てられる。フレーム画素Ｐ１２の緑の相対輝度値の２／３が、副画素Ｇ１に割り当てられる。
【００６１】
図５Ｄは、フレーム画素Ｐ１３と、その相対輝度値が割り当てられる副画素とを示す。フレーム画素Ｐ１３の相対輝度値は、副画素Ｒ２、Ｂ２、Ｇ２、Ｒ５、及びＢ５に割り当てられる。副画素Ｒ５及びＢ５は、パネル単位領域４５に行方向において隣接するパネル単位領域の副画素であって、副画素Ｇ２に隣接している。
【００６２】
フレーム画素Ｐ１３の赤の相対輝度値の１／３が、副画素Ｒ２及び副画素Ｒ５それぞれに割り当てられる。フレーム画素Ｐ１３の青の相対輝度値の１／３が、副画素Ｂ２及び副画素Ｂ５それぞれに割り当てられる。フレーム画素Ｐ１３の緑の相対輝度値の２／３が、副画素Ｇ２に割り当てられる。
【００６３】
図５Ｅは、フレーム画素Ｐ２１と、その相対輝度値が割り当てられる副画素とを示す。フレーム画素Ｐ２１の相対輝度値は、副画素Ｒ６、Ｂ６、Ｇ３、Ｒ３、及びＢ３に割り当てられる。副画素Ｒ６及びＢ６は、パネル単位領域４５に行方向において隣接するパネル単位領域の副画素であって、副画素Ｇ３に隣接している。
【００６４】
フレーム画素Ｐ２１の赤の相対輝度値の１／３が、副画素Ｒ６及び副画素Ｒ３それぞれに割り当てられる。フレーム画素Ｐ２１の青の相対輝度値の１／３が、副画素Ｂ６及び副画素Ｂ３それぞれに割り当てられる。フレーム画素Ｐ２１の緑の相対輝度値の２／３が、副画素Ｇ３に割り当てられる。
【００６５】
図５Ｆは、フレーム画素Ｐ２２と、その相対輝度値が割り当てられる副画素とを示す。フレーム画素Ｐ２２の相対輝度値は、副画素Ｒ３、Ｂ３、及びＧ４に割り当てられる。フレーム画素Ｐ２２の赤の相対輝度値の２／３が、副画素Ｒ３に割り当てられる。フレーム画素Ｐ２２の青の相対輝度値の２／３が、副画素Ｂ３に割り当てられる。フレーム画素Ｐ２２の緑の相対輝度値の２／３が、副画素Ｇ４に割り当てられる。
【００６６】
図５Ｇは、フレーム画素Ｐ２３と、その相対輝度値が割り当てられる副画素とを示す。フレーム画素Ｐ２３の相対輝度値は、副画素Ｇ４、Ｒ４、Ｂ４、及びＧ６に割り当てられる。副画素Ｇ６は、パネル単位領域４５に行方向において隣接するパネル単位領域の副画素であって、副画素Ｒ４、Ｂ４に隣接している。
【００６７】
フレーム画素Ｐ２３の赤の相対輝度値の２／３が、副画素Ｒ４に割り当てられる。フレーム画素Ｐ２３の青の相対輝度値の２／３が、副画素Ｂ４に割り当てられる。フレーム画素Ｐ２３の緑の相対輝度値の１／３が、副画素Ｇ４及び副画素Ｇ６それぞれに割り当てられる。
【００６８】
図５Ａ〜５Ｇを参照して説明したように、１つのフレーム画素の相対輝度値は、各色の１つ又は２つの副画素に割り当てられる。１つのフレーム画素の相対輝度値が割り当てられる副画素の数は、３、４、又は５である。
【００６９】
１つのフレーム画素から３つの色に割り当てられる相対輝度値の比率（の総計）、つまり、１つのフレーム画素に対応する赤、青、緑の３色の副画素に割り当てられる相対輝度値の比率（の総計）は、同一である。本例において、その値は２／３である。
【００７０】
相対輝度値が割り当てられる１つの色の副画素の数が１である場合、当該副画素へ割り当てられる相対輝度の比率は２／３であり、相対輝度値が割り当てられる１つの色の副画素の数が２である場合、当該副画素それぞれへ割り当てられる相対輝度の比率は１／３である。このように、各フレーム画素から副画素に割り当てられる相対輝度の比率が全ての色に同一であることで、映像フレームにより即した色を表示することができる。
【００７１】
上記フレーム画素とパネル副画素との間の、相対輝度値の割り当てにおける対応関係により、フレーム画素の相対輝度値が割り当てられる複数の副画素の重心を、当該フレーム画素の重心と近づけることができる。複数の副画素の重心は、副画素それぞれの重心の座標を加算した座標である。これにより、映像フレームにより即した画像を表示することができる。
【００７２】
次に、パネル単位領域４５を構成する各副画素が、２つのフレーム画素から割り当てられる相対輝度値を説明する。図６Ａは、パネル単位領域４５と、当該パネル単位領域４５に対して相対輝度値が割り当てられるフレーム画素とを示す。パネル単位領域４５に対して、対応するフレーム単位領域４１と、フレーム単位領域４１に行方向隣接する他のフレーム単位領域のフレーム画素から、相対輝度値が割り当てられる。
【００７３】
図６Ｂは、副画素Ｒ１及びＢ１と、それらに対して相対輝度値が割り当てられるフレーム画素とを示す。副画素Ｒ１（第１の第１色副画素の一例）に対して、行方向に互いに隣接するフレーム画素Ｐ１０（隣接フレーム単位領域の第３の画素の例）及びフレーム画素Ｐ１１（第１の画素の例）それぞれの赤の相対輝度値が割り当てられる。具体的には、フレーム画素Ｐ１０の赤の相対輝度値ＬＲｉｎ（Ｐ１０）の１／３と、フレーム画素Ｐ１１の赤の相対輝度値ＬＲｉｎ（Ｐ１１）の２／３とが、副画素Ｒ１に割り当てられる。副画素Ｒ１の相対輝度値ＬＲ１は、次の数式で表わされる。
ＬＲ１＝ＬＲｉｎ（Ｐ１０）／３＋ＬＲｉｎ（Ｐ１１）＊（２／３）
【００７４】
副画素Ｂ１（第１の第２色副画素の一例）に対して、行方向に互いに隣接するフレーム画素Ｐ１０及びフレーム画素Ｐ１１それぞれの青の相対輝度値が割り当てられる。具体的には、フレーム画素Ｐ１０の青の相対輝度値ＬＢｉｎ（Ｐ１０）の１／３と、フレーム画素Ｐ１１の青の相対輝度値ＬＢｉｎ（Ｐ１１）の２／３とが、副画素Ｂ１に割り当てられる。副画素Ｂ１の相対輝度値ＬＢ１は、次の数式で表わされる。
ＬＢ１＝ＬＢｉｎ（Ｐ１０）／３＋ＬＢｉｎ（Ｐ１１）＊（２／３）
【００７５】
図６Ｃは、副画素Ｇ１と、それに対して相対輝度値が割り当てられるフレーム画素とを示す。副画素Ｇ１（第２の第３色副画素の一例）に対して、行方向に互いに隣接するフレーム画素Ｐ１１及びフレーム画素Ｐ１２（第２の画素の例）それぞれの緑の相対輝度値が割り当てられる。具体的には、フレーム画素Ｐ１１の緑の相対輝度値ＬＧｉｎ（Ｐ１１）の１／３と、フレーム画素Ｐ１２の緑の相対輝度値ＬＧｉｎ（Ｐ１２）の２／３とが、副画素Ｇ１に割り当てられる。副画素Ｇ１の相対輝度値ＬＧ１は、次の数式で表わされる。
ＬＧ１＝ＬＧｉｎ（Ｐ１１）／３＋ＬＧｉｎ（Ｐ１２）＊（２／３）
【００７６】
図６Ｄは、副画素Ｒ２及びＢ２と、それらに対して相対輝度値が割り当てられるフレーム画素とを示す。副画素Ｒ２（第３の第１色副画素の一例）に対して、行方向に互いに隣接するフレーム画素Ｐ１２及びフレーム画素Ｐ１３（第３の画素の例）それぞれの赤の相対輝度値が割り当てられる。具体的には、フレーム画素Ｐ１２の赤の相対輝度値ＬＲｉｎ（Ｐ１２）の２／３と、フレーム画素Ｐ１３の赤の相対輝度値ＬＲｉｎ（Ｐ１３）の１／３とが、副画素Ｒ２に割り当てられる。副画素Ｒ２の相対輝度値ＬＲ２は、次の数式で表わされる。
ＬＲ２＝ＬＲｉｎ（Ｐ１２）＊（２／３）＋ＬＲｉｎ（Ｐ１３）／３
【００７７】
副画素Ｂ２（第３の第２色副画素の一例）に対して、行方向に互いに隣接するフレーム画素Ｐ１２及びフレーム画素Ｐ１３それぞれの青の相対輝度値が割り当てられる。具体的には、フレーム画素Ｐ１２の青の相対輝度値ＬＢｉｎ（Ｐ１２）の２／３と、フレーム画素Ｐ１３の青の相対輝度値ＬＢｉｎ（Ｐ１３）の１／３とが、副画素Ｂ２に割り当てられる。副画素Ｂ２の相対輝度値ＬＢ２は、次の数式で表わされる。
ＬＢ２＝ＬＢｉｎ（Ｐ１２）＊（２／３）＋ＬＢｉｎ（Ｐ１３）／３
【００７８】
図６Ｅは、副画素Ｇ２と、それに対して相対輝度値が割り当てられるフレーム画素とを示す。副画素Ｇ２（第４の第３色副画素の一例）に対して、行方向に互いに隣接するフレーム画素Ｐ１２及びフレーム画素Ｐ１３それぞれの緑の相対輝度値が割り当てられる。具体的には、フレーム画素Ｐ１２の緑の相対輝度値ＬＧｉｎ（Ｐ１２）の１／３と、フレーム画素Ｐ１３の緑の相対輝度値ＬＧｉｎ（Ｐ１３）の２／３とが、副画素Ｇ１に割り当てられる。副画素Ｇ２の相対輝度値ＬＧ２は、次の数式で表わされる。
ＬＧ２＝ＬＧｉｎ（Ｐ１２）／３＋ＬＧｉｎ（Ｐ１３）＊（２／３）
【００７９】
図６Ｆは、副画素Ｇ３と、それに対して相対輝度値が割り当てられるフレーム画素とを示す。副画素Ｇ３（第１の第３色副画素の一例）に対して、行方向に互いに隣接するフレーム画素Ｐ２０（隣接フレーム単位領域の第６の画素の例）及びフレーム画素Ｐ２１（第４の画素の例）それぞれの緑の相対輝度値が割り当てられる。具体的には、フレーム画素Ｐ２０の緑の相対輝度値ＬＧｉｎ（Ｐ２０）の１／３と、フレーム画素Ｐ２１の緑の相対輝度値ＬＧｉｎ（Ｐ２１）の２／３とが、副画素Ｇ１に割り当てられる。副画素Ｇ３の相対輝度値ＬＧ３は、次の数式で表わされる。
ＬＧ３＝ＬＧｉｎ（Ｐ２０）／３＋ＬＧｉｎ（Ｐ２１）＊（２／３）
【００８０】
図６Ｇは、副画素Ｒ３及びＢ３と、それらに対して相対輝度値が割り当てられるフレーム画素とを示す。副画素Ｒ３（第２の第１色副画素の一例）に対して、行方向に互いに隣接するフレーム画素Ｐ２１及びフレーム画素Ｐ２２（第５の画素の例）それぞれの赤の相対輝度値が割り当てられる。具体的には、フレーム画素Ｐ２１の赤の相対輝度値ＬＲｉｎ（Ｐ２１）の１／３と、フレーム画素Ｐ２２の赤の相対輝度値ＬＲｉｎ（Ｐ２２）の２／３とが、副画素Ｒ３に割り当てられる。副画素Ｒ３の相対輝度値ＬＲ３は、次の数式で表わされる。
ＬＲ３＝ＬＲｉｎ（Ｐ２１）／３＋ＬＲｉｎ（Ｐ２２）＊（２／３）
【００８１】
副画素Ｂ３（第２の第２色副画素の一例）に対して、行方向に互いに隣接するフレーム画素Ｐ２１及びフレーム画素Ｐ２２それぞれの青の相対輝度値が割り当てられる。具体的には、フレーム画素Ｐ２１の青の相対輝度値ＬＢｉｎ（Ｐ２１）の１／３と、フレーム画素Ｐ２２の青の相対輝度値ＬＢｉｎ（Ｐ２２）の２／３とが、副画素Ｂ３に割り当てられる。副画素Ｂ３の相対輝度値ＬＢ３は、次の数式で表わされる。
ＬＢ３＝ＬＢｉｎ（Ｐ２１）／３＋ＬＢｉｎ（Ｐ２２）＊（２／３）
【００８２】
図６Ｈは、副画素Ｇ４と、それに対して相対輝度値が割り当てられるフレーム画素とを示す。副画素Ｇ４（第３の第３色副画素の一例）に対して、行方向に互いに隣接するフレーム画素Ｐ２２及びフレーム画素Ｐ２３（第６の画素の例）それぞれの緑の相対輝度値が割り当てられる。具体的には、フレーム画素Ｐ２２の緑の相対輝度値ＬＧｉｎ（Ｐ２２）の２／３と、フレーム画素Ｐ２３の緑の相対輝度値ＬＧｉｎ（Ｐ２３）の１／３とが、副画素Ｇ４に割り当てられる。副画素Ｇ４の相対輝度値ＬＧ４は、次の数式で表わされる。
ＬＧ４＝ＬＧｉｎ（Ｐ２２）＊（２／３）＋ＬＧｉｎ（Ｐ２３）／３
【００８３】
図６Ｉは、副画素Ｒ４及びＢ４と、それらに対して相対輝度値が割り当てられるフレーム画素とを示す。副画素Ｒ４（第４の第１色副画素の一例）に対して、行方向に互いに隣接するフレーム画素Ｐ２２及びフレーム画素Ｐ２３それぞれの赤の相対輝度値が割り当てられる。具体的には、フレーム画素Ｐ２２の赤の相対輝度値ＬＲｉｎ（Ｐ２２）の１／３と、フレーム画素Ｐ２３の赤の相対輝度値ＬＲｉｎ（Ｐ２３）の２／３とが、副画素Ｒ４に割り当てられる。副画素Ｒ４の相対輝度値ＬＲ４は、次の数式で表わされる。
ＬＲ４＝ＬＲｉｎ（Ｐ２２）／３＋ＬＲｉｎ（Ｐ２３）＊（２／３）
【００８４】
副画素Ｂ４（第４の第２色副画素の一例）に対して、行方向に互いに隣接するフレーム画素Ｐ２２及びフレーム画素Ｐ２３それぞれの青の相対輝度値が割り当てられる。具体的には、フレーム画素Ｐ２２の青の相対輝度値ＬＢｉｎ（Ｐ２２）の１／３と、フレーム画素Ｐ２３の青の相対輝度値ＬＢｉｎ（Ｐ２３）の２／３とが、副画素Ｂ４に割り当てられる。副画素Ｂ４の相対輝度値ＬＢ４は、次の数式で表わされる。
ＬＢ４＝ＬＢｉｎ（Ｐ２２）／３＋ＬＢｉｎ（Ｐ２３）＊（２／３）
【００８５】
ドライバＩＣ１３４の相対輝度変換部３４２は、図６Ａ〜６Ｉを参照した説明に従って、各パネル副画素の相対輝度値を、対応するフレーム画素の相対輝度値から決定する。図６Ｂ〜６Ｉを参照して説明したように、パネル単位領域の各副画素の相対輝度値は、対応する２つの画素の相対輝度値それぞれの所定の比率を加算した値である。
【００８６】
また、各副画素に割り当てられる相対輝度値の比率の合計（対応する２つの画素の所定の比率を加算した値）は同一であり、具体的には、１である。全ての副画素の相対輝度値の比率の合計が同一であるので、映像フレームにより即した色を表示することができる。また、副画素の相対輝度値の比率の合計が１であるので、副画素のダイナミックレンジ（最大輝度値と最小輝度値との差）を最大に利用できる。
【００８７】
なお、各副画素の相対輝度値の比率の合計は１未満であってもよい。設計上許容される範囲で、副画素の相対輝度値の比率の合計が異なっていてもよい。フレーム画素から副画素に割り当てられる相対輝度の比率が色毎に異なっていてもよい。
【００８８】
［パネル配線］
図７は、パネル単位領域４５における、副画素（アノード電極）と配線との接続関係を模式的に示す。図７において、副画素と重なる円を通過する走査線及びデータ線が、当該副画素に対応する画素回路を介して接続され、当該副画素を制御する。
【００８９】
フレーム単位領域４１の一つの画素行から相対輝度値が割り当てられる全ての副画素は、同一の走査線に接続されている。具体的には、パネル副画素Ｒ１、Ｂ１、Ｇ１、Ｒ２、Ｂ２、及びＧ２は、走査線Ｓ２ｍに接続されている。パネル副画素Ｒ３、Ｂ３、Ｇ３、Ｒ４、Ｂ４、及びＧ４は、走査線Ｓ２ｍ＋１に接続されている。
【００９０】
パネル副画素Ｒ１、Ｂ１、Ｇ１、Ｒ２、Ｂ２、及びＧ２に対して、映像フレームにおける２ｍ番のフレーム画素行のみから、相対輝度値が割り当てられる。パネル副画素Ｒ３、Ｂ３、Ｇ３、Ｒ４、Ｂ４、及びＧ４に対して、映像フレームにおける２ｍ＋１番のフレーム画素行のみから、相対輝度値が割り当てられる。
【００９１】
表示領域１２５において、一つのフレーム画素行に対応する全てのパネル副画素が、同一の走査線に接続されている。パネル副画素の相対輝度値は、一つのフレーム画素行内のフレーム画素の相対輝度値のみから決定され、他のフレーム画素行の相対輝度値は参照されない。したがって、副画素にデータ線から与える信号を計算するために、他のフレーム画素行の相対輝度値を格納するラインメモリが不要である。
【００９２】
図７の例において、一つの走査線に接続されている副画素は、異なるデータ線に接続されている。具体的には、パネル副画素Ｒ１及びＧ３は、データ線Ｄ６ｎに接続されている。パネル副画素Ｂ１及びＢ３は、データ線Ｄ６ｎ＋１に接続されている。パネル副画素Ｇ１及びＲ３は、データ線Ｄ６ｎ＋２に接続されている。パネル副画素Ｒ２及びＧ４は、データ線Ｄ６ｎ＋３に接続されている。パネル副画素Ｂ２及びＢ４は、データ線Ｄ６ｎ＋４に接続されている。パネル副画素Ｇ２及びＲ４は、データ線Ｄ６ｎ＋５に接続されている。
【００９３】
図７が示す副画素と配線との接続関係は一例であって、他の接続も可能である。例えば、一つの走査線に接続されている複数の副画素が、一つのデータ線に接続されていてもよい。
【００９４】
本実施形態によれば、シンプルな演算（回路構成）によって、異なる画素数の映像フレームと表示パネルとの間で、表示画質の低下を抑えるように、フレーム画素の相対輝度値をパネル副画素の相対輝度値に変換することができる。
【００９５】
＜実施形態２＞
以下において、映像フレーム及びデルタナブラパネルにおける画素配置の他の例を説明する。以下において、実施形態１との相違点を主に説明する。図８は、本実施形態における、映像フレーム及びデルタナブラパネルにおける単位領域の関係を示す。図８に示すフレーム単位領域４１及びパネル単位領域４５の構成は、図４に示す構成を左に９０°回転させたものである。つまり、実施形態１の構成から、行と列とが入れ替わっている。
【００９６】
本実施形態の説明の容易のため、フレーム単位領域４１を構成するフレーム画素それぞれに、実施形態１において対応するフレーム画素と同一の符号が付されている。同様に、パネル単位領域４５を構成するパネル副画素それぞれに、実施形態１において対応するパネル副画素と同一の符号を付してある。この点は、フレーム単位領域４１に隣接する他のフレーム単位領域のフレーム画素、及び、パネル単位領域４５に隣接するパネル副画素について同様である。
【００９７】
フレーム単位領域４１は、３行２列の６つのフレーム画素で構成されている。画素Ｐ１１、Ｐ１２、及びＰ１３は、この順で、列方向に連続して配列されており、列方向に延びる画素列（画素ライン）を構成する。画素Ｐ１２は、画素Ｐ１１及びＰ１３に隣接している。これらの重心は、列方向に延びる仮想直線上にあり、間隔は一定である。画素Ｐ１１、Ｐ１２、及びＰ１３は、映像フレームにおける２ｎ番の画素列に含まれる。
【００９８】
画素Ｐ２１、Ｐ２２、及びＰ２３は、この順で、列方向に連続して配列されており、列方向に延びる画素列（画素ライン）を構成する。画素Ｐ２２は、画素Ｐ２１及びＰ２３に隣接している。これらの重心は、列方向に延びる仮想直線上にあり、間隔は一定である。画素Ｐ２１、Ｐ２２、及びＰ２３は、映像フレームにおける２ｎ＋１番の画素列に含まれる。
【００９９】
互いに隣接する画素Ｐ１１及びＰ２１は、行方向に連続して配列されており、行方向に延びる画素行（画素ライン）を構成する。これらの重心は、行方向に延びる仮想直線上にあり、間隔は一定である。画素Ｐ１１及びＰ２１は、映像フレームにおける３ｍ＋２番の画素行に含まれる。
【０１００】
互いに隣接する画素Ｐ１２及びＰ２２は、行方向に連続して配列されており、行方向に延びる画素行（画素ライン）を構成する。これらの重心は、行方向に延びる仮想直線上にあり、間隔は一定である。画素Ｐ１２及びＰ２２は、映像フレームにおける３ｍ＋１番の画素行に含まれる。
【０１０１】
互いに隣接する画素Ｐ１３及びＰ２３は、行方向に連続して配列されており、行方向に延びる画素行（画素ライン）を構成する。これらの重心は、行方向に延びる仮想直線上にあり、間隔は一定である。画素Ｐ１３及びＰ２３は、映像フレームにおける３ｍ番の画素行に含まれる。
【０１０２】
パネル単位領域４５は、１２のパネル副画素Ｒ１〜Ｒ４、Ｇ１〜Ｇ４、Ｂ１〜Ｂ４で構成されている。本例において副画素は列方向に長い長方形であるが、これに限定されない。副画素Ｒ１、Ｂ１、Ｇ３は、この順において、行方向に連続して配列されており、行向に延びる副画素行（副画素ライン）を構成する。副画素Ｂ１は、副画素Ｒ１及びＧ３に隣接している。これらの重心は、行方向に延びる仮想直線上にあり、間隔は一定である。
【０１０３】
副画素Ｇ１、Ｒ３、Ｂ３は、この順において、行方向に連続して配列されており、行向に延びる副画素行（副画素ライン）を構成する。副画素Ｒ３は、副画素Ｇ１及びＢ３に隣接している。これらの重心は、行方向に延びる仮想直線上にあり、間隔は一定である。
【０１０４】
副画素Ｒ２、Ｂ２、Ｇ４は、この順において、行方向に連続して配列されており、行向に延びる副画素列（副画素ライン）を構成する。副画素Ｂ２は、副画素Ｒ２及びＧ４に隣接している。これらの重心は、行方向に延びる仮想直線上にあり、間隔は一定である。副画素Ｇ２、Ｒ４、Ｂ４は、この順において、行方向に連続して配列されており、行方向に延びる副画素行（副画素ライン）を構成する。副画素Ｒ４は、副画素Ｇ２及びＢ４に隣接している。これらの重心は、行方向に延びる仮想直線上にあり、間隔は一定である。
【０１０５】
図８の例において、副画素行の色順序は同一であり、Ｒ副画素、Ｂ副画素、Ｇ副画素の順で、副画素が循環的に配列されている。各副画素行の各副画素は、列方向において、隣接する副画素行の異なる色の副画素に隣接している。例えば、Ｒ画素は、隣接する副画素行それぞれのＧ画素及びＢ画素に隣接している。
【０１０６】
図８の例において、パネル単位領域４５を構成する副画素Ｒ１〜Ｒ４、Ｇ１〜Ｇ４、Ｂ１〜Ｂ４のレイアウトは、千鳥配置である。各副画素の重心は、行方向において、隣接副画素行それぞれの、２つの副画素の重心の間に位置し、図８の例において中央に位置する。
【０１０７】
奇数番副画素行の、行方向における副画素の位置及び色は同一である。同様に、偶数番副画素行の、行方向における副画素の位置及び色は同一である。図８の例において、各副画素行において、副画素は、一定ピッチで配列されている。副画素行は、隣接する副画素行にたいして、３／２ピッチずれている。
【０１０８】
図８に示すパネル単位領域４５を構成する副画素のレイアウトは、一例である。例えば、パネル単位領域４５を構成する副画素のレイアウトは千鳥配置でなくてもよく、例えば、マトリックス配置であってもよい。たとえば、パネル単位領域４５の副画素行は３つの色の副画素で構成され、副画素列は交互に配列された２つの色の副画素で構成されてもよい。副画素行の副画素の重心は仮想直線状に存在せず、重心を結んだ線が折れ線であってもよい。また、副画素行における副画素の重心間の間隔は一定でなくてもよい。
【０１０９】
図９Ａは、フレーム単位領域４１と、フレーム単位領域４１の相対輝度値が割り当てられるパネル副画素とを示す。フレーム単位領域４１の相対輝度値は、対応するパネル単位領域４５及びそれに列方向において隣接する複数の副画素Ｒ５、Ｒ６、Ｇ５、Ｇ６、Ｂ５、Ｂ６に対して割り当てられる。
【０１１０】
相対輝度値の割り当てにおいて、フレーム単位領域４１の１つの画素列と、パネル単位領域４５の１つの副画素列が対応付けられる。フレーム画素Ｐ１１、Ｐ１２、Ｐ１３からなる画素列に対応する副画素列は、パネル単位領域４５における奇数番副画素行の１つの副画素と偶数番副画素行の２つの副画素で構成されている。具体的には、当該副画素列は、副画素Ｒ１、Ｂ１、Ｇ１、Ｒ２、Ｂ２、及びＧ２で構成されている。
【０１１１】
フレーム画素Ｐ２１、Ｐ２２、Ｐ２３からなる画素列に対応する副画素列は、パネル単位領域４５における奇数番副画素行の２つの副画素と偶数番副画素行の１つの副画素で構成されている。具体的には、当該副画素列は、副画素Ｇ３、Ｒ３、Ｂ３、Ｇ４、Ｒ４、及びＢ４で構成されている。
【０１１２】
図９Ａに示すように、フレーム単位領域４１の一つの画素列の相対輝度値は、パネル単位領域４５の一つの副画素列及びそれに列方向で隣接する副画素に割り当てられる。以下において、フレーム単位領域４１の画素と、画素の相対輝度値を割り当てる副画素との関係を説明する。
【０１１３】
図９Ｂは、フレーム画素Ｐ１１と、その相対輝度値が割り当てられる副画素とを示す。フレーム画素Ｐ１１の相対輝度値は、副画素Ｇ５、Ｒ１、Ｂ１、及びＧ１に割り当てられる。副画素Ｇ５、Ｒ１、Ｂ１、及びＧ１それぞれに割り当てられる相対輝度値は、図５Ｂを参照した説明と同様である。
【０１１４】
図９Ｃは、フレーム画素Ｐ１２と、その相対輝度値が割り当てられる副画素とを示す。フレーム画素Ｐ１２の相対輝度値は、副画素Ｇ１、Ｒ２、及びＢ２に割り当てられ、それらの値は図５Ｃを参照した説明と同様である。
【０１１５】
図９Ｄは、フレーム画素Ｐ１３と、その相対輝度値が割り当てられる副画素とを示す。フレーム画素Ｐ１３の相対輝度値は、副画素Ｒ２、Ｂ２、Ｇ２、Ｒ５、及びＢ５に割り当てられ、それらの値は図５Ｄを参照した説明と同様である。
【０１１６】
図９Ｅは、フレーム画素Ｐ２１と、その相対輝度値が割り当てられる副画素とを示す。フレーム画素Ｐ２１の相対輝度値は、副画素Ｒ６、Ｂ６、Ｇ３、Ｒ３、及びＢ３に割り当てられ、それらの値は図５Ｅを参照した説明と同様である。副画素Ｒ６及びＢ６は、パネル単位領域４５に列方向において隣接するパネル単位領域の副画素であって、副画素Ｇ３に隣接している。
【０１１７】
図９Ｆは、フレーム画素Ｐ２２と、その相対輝度値が割り当てられる副画素とを示す。フレーム画素Ｐ２２の相対輝度値は、副画素Ｒ３、Ｂ３、及びＧ４に割り当てられ、それらの値は図５Ｆを参照した説明と同様である。
【０１１８】
図９Ｇは、フレーム画素Ｐ２３と、その相対輝度値が割り当てられる副画素とを示す。フレーム画素Ｐ２３の相対輝度値は、副画素Ｇ４、Ｒ４、Ｂ４、及びＧ６に割り当てられ、それらの値は図５Ｇを参照した説明と同様である。副画素Ｇ６は、パネル単位領域４５に列方向において隣接するパネル単位領域の副画素であって、副画素Ｒ４、Ｂ４に隣接している。
【０１１９】
次に、パネル単位領域４５を構成する各副画素が、２つのフレーム画素から割り当てられる相対輝度値を説明する。図１０Ａは、パネル単位領域４５と、当該パネル単位領域４５に対して相対輝度値が割り当てられるフレーム画素とを示す。パネル単位領域４５に対して、対応するフレーム単位領域４１と、フレーム単位領域４１に列方向において隣接する他のフレーム単位領域のフレーム画素から、相対輝度値が割り当てられる。
【０１２０】
図１０Ｂは、副画素Ｒ１及びＢ１と、それらに対して相対輝度値が割り当てられるフレーム画素とを示す。副画素Ｒ１に対して、列方向に互いに隣接するフレーム画素Ｐ１０及びフレーム画素Ｐ１１それぞれの赤の相対輝度値が割り当てられる。割り当てられる相対輝度値の値は、図６Ｂを参照した説明と同様である。
【０１２１】
副画素Ｂ１に対して、列方向に互いに隣接するフレーム画素Ｐ１０及びフレーム画素Ｐ１１それぞれの青の相対輝度値が割り当てられる。割り当てられる相対輝度値の値は、図６Ｂを参照した説明と同様である。
【０１２２】
図１０Ｃは、副画素Ｇ１と、それに対して相対輝度値が割り当てられるフレーム画素とを示す。副画素Ｇ１に対して、列方向に互いに隣接するフレーム画素Ｐ１１及びフレーム画素Ｐ１２それぞれの緑の相対輝度値が割り当てられる。割り当てられる相対輝度値の値は、図６Ｃを参照した説明と同様である。
【０１２３】
図１０Ｄは、副画素Ｒ２及びＢ２と、それらに対して相対輝度値が割り当てられるフレーム画素とを示す。副画素Ｒ２に対して、列方向に互いに隣接するフレーム画素Ｐ１２及びフレーム画素Ｐ１３それぞれの赤の相対輝度値が割り当てられる。割り当てられる相対輝度値の値は、図６Ｄを参照した説明と同様である。
【０１２４】
副画素Ｂ２に対して、列方向に互いに隣接するフレーム画素Ｐ１２及びフレーム画素Ｐ１３それぞれの青の相対輝度値が割り当てられる。割り当てられる相対輝度値の値は、図６Ｄを参照した説明と同様である。
【０１２５】
図１０Ｅは、副画素Ｇ２と、それに対して相対輝度値が割り当てられるフレーム画素とを示す。副画素Ｇ２に対して、列方向に互いに隣接するフレーム画素Ｐ１２及びフレーム画素Ｐ１３それぞれの緑の相対輝度値が割り当てられる。割り当てられる相対輝度値の値は、図６Ｅを参照した説明と同様である。
【０１２６】
図１０Ｆは、副画素Ｇ３と、それに対して相対輝度値が割り当てられるフレーム画素とを示す。副画素Ｇ３に対して、列方向に互いに隣接するフレーム画素Ｐ２０及びフレーム画素Ｐ２１それぞれの緑の相対輝度値が割り当てられる。割り当てられる相対輝度値の値は、図６Ｆを参照した説明と同様である。
【０１２７】
図１０Ｇは、副画素Ｒ３及びＢ３と、それらに対して相対輝度値が割り当てられるフレーム画素とを示す。副画素Ｒ３に対して、列方向に互いに隣接するフレーム画素Ｐ２１及びフレーム画素Ｐ２２それぞれの赤の相対輝度値が割り当てられる。割り当てられる相対輝度値の値は、図６Ｇを参照した説明と同様である。
【０１２８】
副画素Ｂ３に対して、列方向に互いに隣接するフレーム画素Ｐ２１及びフレーム画素Ｐ２２それぞれの青の相対輝度値が割り当てられる。割り当てられる相対輝度値の値は、図６Ｇを参照した説明と同様である。
【０１２９】
図１０Ｈは、副画素Ｇ４と、それに対して相対輝度値が割り当てられるフレーム画素とを示す。副画素Ｇ４に対して、列方向に互いに隣接するフレーム画素Ｐ２２及びフレーム画素Ｐ２３それぞれの緑の相対輝度値が割り当てられる。割り当てられる相対輝度値の値は、図６Ｈを参照した説明と同様である。
【０１３０】
図１０Ｉは、副画素Ｒ４及びＢ４と、それらに対して相対輝度値が割り当てられるフレーム画素とを示す。副画素Ｒ４に対して、列方向に互いに隣接するフレーム画素Ｐ２２及びフレーム画素Ｐ２３それぞれの赤の相対輝度値が割り当てられる。割り当てられる相対輝度値の値は、図６Ｉを参照した説明と同様である。
【０１３１】
副画素Ｂ４に対して、列方向に互いに隣接するフレーム画素Ｐ２２及びフレーム画素Ｐ２３それぞれの青の相対輝度値が割り当てられる。割り当てられる相対輝度値の値は、図６Ｉを参照した説明と同様である。
【０１３２】
実施形態１において図４から６Ｉを参照した説明における構成変形及び効果の記載は、本実施形態の構成に適用できる。
【０１３３】
＜実施形態３＞
本実施形態は、映像フレームの周囲にダミーフレーム画素を追加する。これにより、表示領域１２５の縁の表示品質の低下を小さくすることができる。ダミーフレームは、実施形態１及び実施形態２に必須ではないが、いずれの実施形態にも適用できる。
【０１３４】
図１１は、映像フレーム（入力データ）５３０及び、映像フレーム周囲に配置されたダミーデータ５４０を示す。ダミーデータ５４０は、映像フレーム周囲に配置されるダミー画素のデータである。図１１において、一部のフレーム画素のみが符号５３１Ａ、５３１Ｂ及び５３１Ｃで指示されている。また、一部のダミー画素のみが符号５４１Ａ〜５４１Ｄで指示されている。
【０１３５】
一例は、ダミー画素に対して、隣接する（最も近い）フレーム画素と同一の相対輝度値（Ｒ、Ｇ及びＢの相対輝度値のタプル）を与える。例えば、図１１の例において、ダミー画素５４１Ａ、５４１Ｂ及び５４１Ｃの相対輝度値は、隣接するフレーム画素５３１Ａの相対輝度値と同一である。ダミー画素５４１Ｄの相対輝度値は、隣接するフレーム画素５３１Ｄの相対輝度値と同一である。本例は、最も外側のフレーム画素それぞれの相対輝度値を、行方向又は列方向で隣接するダミー画素に与え、さらに、コーナに位置するフレーム画素の相対輝度値を、行方向、列方向及び斜め方向で隣接するダミー画素に与える。
【０１３６】
ドライバＩＣ１３４の相対輝度変換部３４２は、フレーム画素の相対輝度値から、ダミー画素の相対輝度値を計算する。相対輝度変換部３４２は、フレーム画素及びダミー画素の相対輝度値から、各パネル副画素の相対輝度値を決定する。ダミー画素の相対輝度値の決定方法は設計に依存し、上記関係に限定されない。例えば、一つのダミー画素の相対輝度値を、１又は複数のフレーム画素の相対輝度値及びそれらに対する重みの積和により決定してもよい。
【０１３７】
以上、本発明の実施形態を説明したが、本発明が上記の実施形態に限定されるものではない。当業者であれば、上記の実施形態の各要素を、本発明の範囲において容易に変更、追加、変換することが可能である。ある実施形態の構成の一部を他の実施形態の構成に置き換えることが可能であり、ある実施形態の構成に他の実施形態の構成を加えることも可能である。
【符号の説明】
【０１３８】
１０  表示装置、４１  フレーム単位領域、４５  パネル単位領域、１００  ＴＦＴ基板、１１４  カソード電極形成領域、１２５  表示領域、１３１  走査ドライバ、１３２  エミッションドライバ、１３３  保護回路、１５１  絶縁基板、１５５  チャネル部、１５６  ゲート絶縁膜、１５７  ゲート電極、１５８  層間絶縁膜、１５９  ソース電極、１６０  ドレイン電極、１６１  平坦化膜、１６２  アノード電極、１６３  画素定義層、１６４  スペーサ、１６５  有機発光層、１６６  カソード電極、１６７  開口、１６８  コンタクト部、２００  封止基板、２０１  位相差板、２０２  偏光板、３００  接合部、３４１  ガンマ変換部、３４２  相対輝度変換部、３４３  逆ガンマ変換部、３４４  駆動信号生成部、３４５  データドライバ、３５５  ソースドライバ、５３１  フレーム画素、５４０  ダミーデータ、５４１  ダミーフレーム画素、Ｐ１０−Ｐ１３、Ｐ２０−Ｐ２３  フレーム画素、Ｒ１−Ｒ６  赤パネル副画素、Ｇ１−Ｇ６  緑パネル副画素、Ｂ１−Ｂ６  青パネル副画素、Ｓ２ｍ、Ｓ２ｍ＋１  走査線、Ｄ６ｎ−Ｄ６ｎ＋５  データ線
【図１】
2019133129.tif 000003
【図２】
2019133129.tif 000004
【図３】
2019133129.tif 000005
【図４】
2019133129.tif 000006
【図５Ａ】
2019133129.tif 000007
【図５Ｂ】
2019133129.tif 000008
【図５Ｃ】
2019133129.tif 000009
【図５Ｄ】
2019133129.tif 000010
【図５Ｅ】
2019133129.tif 000011
【図５Ｆ】
2019133129.tif 000012
【図５Ｇ】
2019133129.tif 000013
【図６Ａ】
2019133129.tif 000014
【図６Ｂ】
2019133129.tif 000015
【図６Ｃ】
2019133129.tif 000016
【図６Ｄ】
2019133129.tif 000017
【図６Ｅ】
2019133129.tif 000018
【図６Ｆ】
2019133129.tif 000019
【図６Ｇ】
2019133129.tif 000020
【図６Ｈ】
2019133129.tif 000021
【図６Ｉ】
2019133129.tif 000022
【図７】
2019133129.tif 000023
【図８】
2019133129.tif 000024
【図９Ａ】
2019133129.tif 000025
【図９Ｂ】
2019133129.tif 000026
【図９Ｃ】
2019133129.tif 000027
【図９Ｄ】
2019133129.tif 000028
【図９Ｅ】
2019133129.tif 000029
【図９Ｆ】
2019133129.tif 000030
【図９Ｇ】
2019133129.tif 000031
【図１０Ａ】
2019133129.tif 000032
【図１０Ｂ】
2019133129.tif 000033
【図１０Ｃ】
2019133129.tif 000034
【図１０Ｄ】
2019133129.tif 000035
【図１０Ｅ】
2019133129.tif 000036
【図１０Ｆ】
2019133129.tif 000037
【図１０Ｇ】
2019133129.tif 000038
【図１０Ｈ】
2019133129.tif 000039
【図１０Ｉ】
2019133129.tif 000040
【図１１】
2019133129.tif 000041